(57)【要約】【課題】作業者が座った姿勢で作業するとき、作業者の腰への負担を軽減することができるキッチンキャビネットを提供する。【解決手段】本発明は、作業者が座った姿勢で使用可能なキッチンキャビネット(1)に関する。本発明によるキッチンキャビネット(1)は、キャビネット(2)と、キャビネットの上に搭載されるシンク等のキッチン設備(4)を有する。キャビネット(2)は、座った姿勢でキッチン設備(4)を使用する作業者の膝頭部(H1)を収容する凹部(18)と、座った姿勢の作業者の足部(H3)が下腿部(H2)に対して作業者の後方に位置するように作業者の下腿部(H2)を支持する下腿支持面(22)を備えた下腿支持部(20)を有する。下腿支持面(22)の傾斜角度は、作業者の前傾姿勢に応じて作業者に対する前後方向(A)に変化する。【選択図】図１
2008055091.tif 000002
【特許請求の範囲】
【請求項１】
作業者が座った姿勢で使用できるキッチンキャビネットであって、
キャビネットと、前記キャビネットの上に搭載されるキッチン設備と、を有し、
前記キャビネットは、座った姿勢で前記キッチン設備を使用する作業者の膝頭部を収容する凹部と、座った姿勢の作業者の足部が下腿部に対して作業者の後方に位置するように作業者の下腿部を支持する下腿支持面を備えた下腿支持部と、を有し、
前記下腿支持部は、その下腿支持面の傾斜角度が作業者の前傾姿勢に応じて作業者に対する前後方向に変化するように前記キャビネットに取付けられることを特徴とするキッチンキャビネット。
【請求項２】
前記下腿支持部は、作業者に対して左右方向に延びる軸線を中心に回動自在に前記キャビネットに取付けられることを特徴とする請求項１に記載のキッチンキャビネット。
【請求項３】
前記下腿支持部は、作業者がキッチンキャビネットを使用していないときに、前記下腿支持面が作業者が座る側に面するように付勢されることを特徴とする請求項２に記載のキッチンキャビネット。
【請求項４】
前記下腿支持部は、前記キャビネットに対する上下方向位置を調整することができる請求項２又は３に記載のキッチンキャビネット。
【請求項５】
前記下腿支持部は、前記キャビネットに対して上下方向に移動可能であり、ダンパを介して上方に付勢されることを特徴とする請求項２〜４の何れか１項に記載のキッチンキャビネット。
【請求項６】
前記下腿支持部は、作業者に対して前後方向に移動可能に前記キャビネットに取付けられ、作業者に近づくように付勢されることを特徴とする請求項２又は３に記載のキッチンキャビネット。
【請求項７】
前記下腿支持部は、作業者の左右方向の回転に応じて作業者の下腿部と共に左右方向に回転可能であることを特徴とする請求項１に記載のキッチンキャビネット。
【請求項８】
前記下腿支持部は、前記キャビネットに複数のばねによって支持されることを特徴とする請求項７に記載のキッチンキャビネット。
【請求項９】
作業者が座った姿勢で使用できるキッチンキャビネットであって、
キャビネットと、前記キャビネットの上に搭載されるキッチン設備と、を有し、
前記キャビネットは、座った姿勢で前記キッチン設備を使用する作業者の膝頭部を収容する凹部と、座った姿勢の作業者の足部が下腿部に対して作業者の後方に位置するように作業者の下腿部を支持する下腿支持面を備えた下腿支持部と、を有し、
前記下腿支持部は、作業者に対して前後方向に移動可能に前記キャビネットに取付けられ作業者に近づくように付勢されることを特徴とするキッチンキャビネット。
【発明の詳細な説明】
【技術分野】
【０００１】
本発明は、キッチンキャビネットに係わり、更に詳細には、作業者が座った姿勢で使用できるキッチンキャビネットに関する。
【背景技術】
【０００２】
キャビネットの上に、シンク、キッチンカウンター、コンロ等のキッチン設備を搭載したキッチンキャビネットが、一般家庭で使用されている。また、近年、キッチンキャビネットにおける食器洗い、食材の切断、加熱調理等のキッチン作業を、作業者が座った姿勢で使用することができるキッチンキャビネットが知られている（特許文献１参照）。
【０００３】
作業者が座った姿勢で使用できるキッチンキャビネットでは、作業者が長い間立っている必要がないので、作業者の足の疲れを軽減させることができる。
【０００４】
また、特許文献１に記載されているキッチンキャビネットは、椅子に座った作業者の足を載せるための足休めバーを有している。
【０００５】
【特許文献１】特開平９−５１８２２号公報（図１〜図３）
【発明の開示】
【発明が解決しようとする課題】
【０００６】
キッチンカウンターのキッチン設備、例えばシンク、キッチンカウンター、コンロは、作業者が座る位置に対して作業者の前方に配置されている。従って、作業者がキッチン作業を行うとき、作業者の上体が必然的に前傾するとともに、作業者の背中が丸くなりやすい。背中を丸めたままキッチン作業をし続けると、作業者の腰に負担がかかり、腰を痛める原因になることがある。このことは、足休めバーを有するキッチンキャビネットにおいても同様である。
【０００７】
また、食材を切断したり食器を洗ったりする際、作業者が座ったままだと、作業者の手に十分な力をかけることができず、比較的固い食材を切断したり食器を強く擦ったりすることがしにくいことがあった。
【０００８】
そこで、本発明の第１の目的は、作業者が座った姿勢で作業するとき、作業者の腰への負担を軽減することができるキッチンキャビネットを提供することにある。
【０００９】
また、本発明の第２の目的は、作業者が座った姿勢で作業するとき、作業者の手に容易に力をかけることができるキッチンキャビネットを提供することにある。
【課題を解決するための手段】
【００１０】
上記目的を達成するために、本発明によるキッチンキャビネットは、作業者が座った姿勢で使用できるキッチンキャビネットであって、キャビネットと、キャビネットの上に搭載されるキッチン設備と、を有し、キャビネットは、座った姿勢でキッチン設備を使用する作業者の膝頭部を収容する凹部と、座った姿勢の作業者の足部が下腿部に対して作業者の後方に位置するように作業者の下腿部を支持する下腿支持面を備えた下腿支持部と、を有し、下腿支持部は、その下腿支持面の傾斜角度が作業者の前傾姿勢に応じて作業者に対する前後方向に変化するように前記キャビネットに取付けられることを特徴としている。
【００１１】
このように構成されたキッチンキャビネットでは、作業者が前傾したとき、作業者の下腿部が下腿支持部の下腿支持面で支持され、座った姿勢の作業者の足部が下腿部に対して作業者の後方に位置し、作業者の大腿が必然的に前下がりになる。それにより、下腿支持部がない場合と比較して、作業者は背中が丸まらない姿勢をとりやすくなり、作業者の腰への負担を軽減することができる。また、作業者が前傾したときの体重を下腿支持部で支持することができるので、作業者の手に容易に体重又は力をかけることができる。また、作業者が体重を前後に移動したとき、下腿部が下腿支持面によって安定的に支持される。また、作業者の前傾姿勢、即ち、前傾の度合いが変化したとき、下腿支持面の傾斜角度が作業者に対して前後方向に変化することにより、作業者は、腰への負担を効果的に軽減する姿勢を維持することができる。なお、下腿部は、作業者の膝から足首までの部分をいい、足部は、足首から足先までの部分をいう。
【００１２】
上記キッチンキャビネットの実施形態において、好ましくは、下腿支持部は、作業者に対して左右方向に延びる軸線を中心に回動自在にキャビネットに取付けられる。
【００１３】
この実施形態において、更に好ましくは、下腿支持部は、作業者がキッチンキャビネットを使用していないときに、下腿支持面が作業者が座る側に面するように付勢される。
【００１４】
このように構成されたキッチンキャビネットでは、椅子に座った作業者は、作業者が座る側に面する下腿支持面で下腿部をいったん支持させた後、下腿支持部を回動させることにより、背中が丸まらない作業姿勢に容易に移行することができる。
【００１５】
また、下腿支持部が回動自在な実施形態において、好ましくは、下腿支持部は、キャビネットに対する上下方向位置を調整することができる。
【００１６】
このように構成されたキッチンキャビネットでは、作業者の足の長さに応じて、下腿支持部の上下方向位置を調整することができる。
【００１７】
また、下腿支持部が回動自在な実施形態において、好ましくは、下腿支持部は、キャビネットに対して上下方向に移動可能であり、ダンパを介して上方に付勢される。
【００１８】
このように構成されたキッチンキャビネットでは、作業者が下腿部を下腿支持部に支持させたときに膝にかかる負担を軽減することができる。
【００１９】
また、下腿支持部が回動自在な実施形態において、好ましくは、下腿支持部は、作業者に対して前後方向に移動可能にキャビネットに取付けられ、作業者に近づくように付勢される。
【００２０】
このように構成されたキッチンキャビネットでは、椅子に座った作業者は、作業者側に位置している下腿支持部に下腿部をいったん支持させた後、下腿支持部を作業者から遠ざかるように移動させることにより、背中が丸まらない作業姿勢に容易に移行することができる。
【００２１】
また、上記キッチンキャビネットの実施形態において、好ましくは、下腿支持部は、作業者の左右方向の回転に応じて作業者の下腿部と共に左右方向に回転可能である。
【００２２】
このように構成されたキッチンキャビネットでは、作業者の作業方向が左右方向に回転したとき、下腿部が下腿支持面によって安定的に支持される。
【００２３】
この実施形態において、更に好ましくは、下腿支持部は、前記キャビネットに複数のばねによって支持される。
【００２４】
また、上記目的を達成するために、本発明によるキッチンキャビネットは、作業者が座った姿勢で使用できるキッチンキャビネットであって、キャビネットと、キャビネットの上に搭載されるキッチン設備と、を有し、キャビネットは、座った姿勢でキッチン設備を使用する作業者の膝頭部を収容する凹部と、座った姿勢の作業者の足部が下腿部に対して作業者の後方に位置するように作業者の下腿部を支持する下腿支持面を備えた下腿支持部と、を有し、下腿支持部は、作業者に対して前後方向に移動可能にキャビネットに取付けられ、作業者に向かって付勢されることを特徴としている。
【００２５】
このように構成されたキッチンキャビネットでは、作業者が前傾したとき、作業者下腿部が下腿支持部の下腿支持面で支持され、座った姿勢の作業者の足部が下腿部に対して作業者の後方に位置し、作業者の大腿が必然的に前下がりになる。それにより、下腿支持部がない場合と比較して、作業者は背中が丸まらない姿勢をとりやすくなり、作業者の腰への負担を軽減することができる。また、作業者が前傾したときの体重を下腿支持部で支持することができるので、手に体重をかけることが容易になり、その結果、作業者の手に容易に力をかけることができる。また、作業者が体重を前後に移動したとき、下腿部が下腿支持面によって安定的に支持される。また、椅子に座った作業者は、作業者側に位置している下腿支持部に下腿部をいったん支持させた後、下腿支持部を作業者から遠ざかるように移動させることにより、背中が丸まらない作業姿勢に容易に移行することができる。
【発明の効果】
【００２６】
以上説明した通り、本発明によるキッチンキャビネットによれば、作業者が座った姿勢で作業するとき、作業者の腰への負担を軽減することができる。
【００２７】
また、本発明によるキッチンキャビネットによれば、作業者が座った姿勢で作業するとき、作業者の手に容易に力をかけることができる。
【発明を実施するための最良の形態】
【００２８】
以下、図面を参照して本発明の実施形態を詳細に説明する。
【００２９】
最初、図１を参照して、本発明によるキッチンキャビネットの第１の実施形態を説明する。図１は、本発明の第１の実施形態であるキッチンキャビネットの側面断面図である。
【００３０】
図１に示すように、キッチンキャビネット１は、キャビネット２と、その上に装着されたシンク４とを有している。
【００３１】
キャビネット２は、概略的には、作業者から見て左右方向及び前後方向Ａに延びる直方体形状をなし、前面２ａと、上面２ｂとを有している。
【００３２】
シンク４は、キャビネット２の上面２ｂに埋め込まれるように取付けられ、４つの側壁４ａと、底壁４ｂと、水を供給するための給水部４ｃとを有している。
【００３３】
キャビネット２は、両側に配置された側板１２（一方のみ図示）と、両側の側板１２を連結する連結部１４とを有している。本実施形態では、連結部１４は、シンク４の下に位置し、シンク４の底壁４ｂから下方に延びる第１の面１４ａと、第１の面１４ａの下端１６ａから延び且つ作業者に近づくにしたがって下方に傾斜する第２の面１４ｂと、第２の面１４ｂの下端１６ｂから下方に延びる第３の面１４ｃとを有している。シンク４の底壁４ｂと、第１の面１４ａと、第２の面１４ｂとにより、座った姿勢でシンク４を使用する作業者の膝頭部Ｈ１を収容する凹部１８が形成される。
【００３４】
また、キャビネット２は、座った姿勢の作業者の足部Ｈ３が下腿部Ｈ２に対して作業者の後方に位置するように作業者の下腿部Ｈ２を支持するための下腿支持面２２を備えた下腿支持部２０を有している。この下腿支持部２０は、下腿支持面２２の水平方向に対する傾斜角度αが作業者の前傾姿勢に応じて作業者に対する前後方向Ａに変化するようにキャビネット２に取付けられている。詳細には、下腿支持部２０は、その左右両側においてキャビネット２の第２の面１４ｂから上方に延びる取付け部２４によって回動自在に支持されている。本実施形態では、下腿支持部２０は、板状であり、その左右両端部に左右方向に延びる回動軸２６を有し、この回動軸２６が取付け部２４の受け部２８に回動自在に支持されている。下腿支持面２２は、平面状であり、クッション素材で形成されることが好ましい。下腿支持部２０の上下方向取付け位置を調整するために、受け部２８は、上下方向Ｂに複数設けられることが好ましい。
【００３５】
作業者がキッチンキャビネットを使用していないとき、下腿支持部２０が、付勢位置３０、即ち、下腿支持面２２が作業者が座る側に面する位置に重力によって付勢されるように、回動軸２６は、板状の下腿支持部２０の前後方向中心位置よりも作業者から離れた位置に設けられるのがよい。重力に加えて又はその代わりに、下腿支持部２０を付勢位置３０に付勢するためのばね等の付勢装置（図示せず）を回動軸２６又は下腿支持部２０とキャビネット２との間に設けてもよい。ばねを使用する場合、回動軸２６が設けられる位置は任意である。付勢位置３０は、下腿支持面２２が上下方向Ｂに向けられる位置であることが好ましく、下腿支持面２２がキャビネット２の前面２ａと同じ平面内に位置することが更に好ましい。また、傾斜角度αが小さくなるときに下腿支持部２０に作用するダンパ（図示せず）が設けられることが好ましい。
【００３６】
次に、第１の実施形態のキッチンキャビネットの使用方法を説明する。
【００３７】
作業者は、椅子３２に腰掛けた状態で、下腿部Ｈ２を凹部１８の中に入れる。下腿部Ｈ２は、最初、付勢位置３０にある下腿支持部２０下腿支持面２２に触り、膝頭部Ｈ１を更に奥に入れるにつれて、下腿支持部２０が回動軸２６を中心に回動し、自然に作業者の足部Ｈ３が下腿部Ｈ２に対して作業者の後方に位置する。それにより、作業者は、背中が丸まらない作業姿勢に容易に移行することができる。また、傾斜角度αが小さくなるときに下腿支持部２０に作用するダンパ（図示せず）が設けられている場合、作業者が下腿部Ｈ２を下腿支持部２０に支持させたときに膝にかかる負担を軽減することができる。なお、椅子３２に車輪がついている場合、車輪は、作業者が椅子３２に腰掛けるときに転がらないように固定することが可能であることが好ましい。
【００３８】
このように、作業者は背中が丸まらない姿勢をとりやすくなるので、キッチンキャビネット１は、作業者の腰への負担を軽減することができる。また、作業者が前傾したときの体重を下腿支持部２０で支持することができるので、上半身を自由に動かすことができる。特に、作業者の下腿部Ｈ２が、下腿支持面２２によって前後方向Ａに支持されるので、作業者が体重を前後に移動しても、作業者の下腿部Ｈ２が下腿支持部２０によって安定的に支持され、前傾しているときの作業者の上体の前後移動を容易にすることができる。更に、手に体重をかけることが容易になり、食器を強く擦って洗うことができる。
【００３９】
また、作業者の前傾の度合いが変化したとき、下腿支持面２２の傾斜角度αが作業者に対して前後方向Ａに変化するので、作業者は、腰への負担を軽減する姿勢を維持することが容易になる。
【００４０】
次に、図２を参照して、本発明によるキッチンキャビネットの第２の実施形態を説明する。図２は、本発明の第２の実施形態であるキッチンキャビネットの側面断面図である。
【００４１】
図２に示すように、第２の実施形態であるキッチンキャビネット４０は、第１の実施形態であるキッチンキャビネットの連結部１４の形状及び取付け部２４が異なること以外、キッチンキャビネット１と同様の構成を有している。したがって、同様の構成要素には同じ参照符号を付してその説明を省略し、異なる部分を以下に説明する。
【００４２】
キッチンキャビネット４０のキャビネット２の連結部４２は、前後方向Ａの奥側に位置し、シンク４の底壁４ｂから下方に延びる面４２ａを有している。シンク４の底壁４ａと、面４２ａにより、座った姿勢でシンク４を使用する作業者の膝頭部Ｈ１を収容する凹部４４が形成される。
【００４３】
下腿支持部２０は、その左右両側においてキャビネット２の面４２ａの上部に設けられた取付け軸４６から下方に延びてから作業者に向かって先端部４８ａまで延びる取付け部４８によって回動自在に支持されている。第１の実施形態と同様、下腿支持部２０は、板状であり、作業者に対して左右方向に延びる回動軸２６を有しており、本実施形態では、回動軸２６が取付け部４８の先端部４８ａの受け部５０に回動自在に取付けられている。作業者がキッチンキャビネット４０を使用していないとき、下腿支持部２０が、付勢位置３０、即ち、下腿支持面２２が作業者が座る側に面する位置に付勢されることが好ましい。
【００４４】
また、下腿支持部２０は、作業者に対して前後方向Ａに移動可能にキャビネット２に取付けられている。詳細には、取付け部４８が、取付け軸４６を中心に回動自在にキャビネット２に取付けられている。作業者がキッチンキャビネット４０を使用していないとき、下腿支持部２０が作業者に近づくように取付け部４８を付勢位置５２に付勢させるためのばね等の付勢装置（図示せず）が、取付け軸４６に設けられることが好ましい。下腿支持面２２がキャビネット２の前面２ａと同じ平面内に位置するまで取付け部４８が付勢されることが更に好ましい。
【００４５】
下腿支持部２０の上下方向取付け位置を調整するために、取付け部４８は、互いに連結され且つ連結位置を変更可能な２つの部品４８ｂ、４８ｃを有することが好ましい。
【００４６】
第２の実施形態のキッチンキャビネットの使用方法は、第１の実施形態のキッチンキャビネットの使用方法と同様である。第２の実施形態のキッチンキャビネット４０では、下腿支持面２２が回動することに加えて下腿支持部２０が前後方向Ａに移動することによって、背中が丸まらない作業姿勢に容易に移行することが促進される。
【００４７】
次に、図３を参照して、本発明によるキッチンキャビネットの第３の実施形態を説明する。図３は、本発明の第３の実施形態であるキッチンキャビネットの側面断面図である。
【００４８】
図３に示すように、第３の実施形態であるキッチンキャビネット６０は、第１の実施形態のキッチンキャビネット１の取付け部２４が異なること以外、キッチンキャビネット１と同様の構成を有している。したがって、同様の構成要素には同じ参照符号を付してその説明を省略し、異なる部分を以下に説明する。
【００４９】
下腿支持部２０は、その左右両側においてキャビネット２の第２の面１４ｂから上方に延びる取付け部６２によって回動自在に支持されている。図４Ａ〜図４Ｃは、取付け部６２の断面図である。取付け部６２は、下腿支持部２０の上下方向取付け位置を調整するために、伸び位置６２ａ（図４Ａ）と縮み位置６２ｃ（図４Ｃ）との間を移行位置６２ｂ（図４Ｂ）を経由して伸縮するように構成されている。詳細には、取付け部６２は、キャビネット２に固定されたシリンダロッド６４と、シリンダロッド６４の上端に配置されたゴムピストン６６と、ゴムピストン６６と摺動可能にそれから上方に延びるシリンダチューブ６８とを有している。シリンダチューブ６８は、ゴムピストン６６から下方にも延び、シリンダロッド６４とも摺動可能に構成されている。シリンダチューブ６８の上端部には、下腿支持部２０の回動軸２６を回動自在に支持する受け部２８が設けられている。
【００５０】
シリンダチューブ６８とゴムピストン６６との間、及び、シリンダチューブ６８とシリンダロッド６６との間は、摺動可能にシールされている。それにより、シリンダチューブ６８とゴムピストン６６との間に円筒形のガス室７０が形成され、シリンダチューブ６８とシリンダロッド６４との間に環状のガス室７２が形成される。これらのガス室７０、７２の中にガスが封入され、取付け部６２は、ガスダンパを構成する。
【００５１】
ゴムピストン６６には、円筒形のガス室７０と環状のガス室７２とを連通する小さい孔７４が形成されている。また、取付け部６２は、更に、ゴムピストン６６とシリンダロッド６４を貫通するプッシュロッド７６を有し、このプッシュロッド７６は、下位置７６ａと上位置７６ｂとの間をシール式に摺動可能である。プッシュロッド７６は、その上端にフランジ７８を有し、このフランジ７８は、プッシュロッド７６が下位置７６ａにあるときに、ゴムピストン６６の孔７４を閉鎖するように構成されている。プッシュロッド７６の下端には、プッシュロッド７６を足で上下させるためのレバー８０が連結されている。レバー８０には、プッシュロッド７６を下位置７６ａに付勢するためのばね（図示せず）が取付けられている。
【００５２】
次に、取付け部６２の動作を説明する。
【００５３】
図４Ａに示すように、プッシュロッド７６が下位置７６ａにあるとき、円筒形のガス室７０内のガスは閉じ込められている。下腿支持部２０に下腿部を載せると、ガス室７０内のガスの圧縮により、下腿支持部２０及びシリンダチューブ６８がキャビネット２に対して下降し、下腿部Ｈ２を下腿支持部６８から移動させると、元の位置（基準高さ）に戻る。それにより、下腿支持部２０及びシリンダチューブ６８は上方に付勢される。作業者が下腿支持部２０に下腿部Ｈ２を支持させたときの衝撃を吸収することができる。
【００５４】
図４Ｂに示すように、レバー８０を操作して、プッシュロッド７６を上位置７６ｂに移動させると、フランジ７８がゴムピストン６６から離れて、孔７４が開き、円筒形のガス室７０と環状のガス室７２との間が連通する。それにより、シリンダロッド６４に対するシリンダチューブ６８の上下方向位置、即ち、下腿支持部２０のキャビネット２に対する基準高さを変えることができる。
【００５５】
図４Ｃに示すように、レバー８０の操作をやめると、プッシュロッド７６が下位置７６ａに付勢され、フランジ７８がゴムピストン６６の孔７４を再び閉じる。それにより、円筒形のガス室７０内のガスは再び閉じ込められ、図４Ａで説明した動作と同様の動作を行う。
【００５６】
第３の実施形態のキッチンキャビネット６０では、作業者が下腿部Ｈ２を下腿支持部２０に支持させたときに膝にかかる負担を軽減することができる。
【００５７】
次に、図５を参照して、本発明によるキッチンキャビネットの第４の実施形態を説明する。図５は、本発明の第４の実施形態であるキッチンキャビネットの側面断面図である。図６は、下腿支持部の平面図である。
【００５８】
図５に示すように、第４の実施形態であるキッチンキャビネット９０は、第１の実施形態であるキッチンキャビネット１の取付け部２４が異なること以外、キッチンキャビネット１と同様の構成を有している。したがって、同様の構成要素には同じ参照符号を付してその説明を省略し、異なる部分を以下に説明する。
【００５９】
図５及び図６に示すように、下腿支持部２０は、ほぼ矩形の板状をなし、そのほぼ４隅に配置された４つのばね９２によってキャビネット２に支持されている。それにより、図５に示すように、その下腿支持面の傾斜角度αが作業者の前傾姿勢に応じて作業者に対する前後方向Ａに変化する。また、図６に示すように、下腿支持部２０は、作業者の左右方向Ｃの回転に応じて作業者の下腿部Ｈ２と共に左右方向Ｃに回転可能である。
【００６０】
このように構成されたキッチンキャビネットでは、作業者の作業方向が左右方向Ｃに回転したとき、下腿部Ｈ２が下腿支持面２２によって安定的に支持される。
【００６１】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００６２】
上記実施形態では、キッチン設備がシンクである場合を例にして説明したが、キッチン設備は、キッチンカウンター、コンロ等であってもよい。
【００６３】
上記実施形態では、下腿支持部２０が板状である場合を例にして説明したが、下腿支持部２０の形状は任意である。また、下腿支持部２０は、キッチンキャビネットの左右方向全体にわたって設けられてもよいし、部分的に設けられてもよい。
【００６４】
また、第４の実施形態において、下腿支持部２０は、キャビネット２に対する上下方向位置を調整できるように構成されてもよい。
【００６５】
また、上記第２の実施形態では、取付け部４８の回動を利用して、下腿支持部２０を前後方向に移動させたが、スライド式機構等の他の構成を用いて下腿支持部２０を前後させてもよい。
【００６６】
また、第１〜第４の実施形態を任意に組合せてもよい。
【図面の簡単な説明】
【００６７】
【図１】本発明の第１の実施形態であるキッチンキャビネットの側面断面図である。
【図２】本発明の第２の実施形態であるキッチンキャビネットの側面断面図である。
【図３】本発明の第３の実施形態であるキッチンキャビネットの側面断面図である。
【図４Ａ】第３の実施形態のキッチンキャビネットの取付け部の伸び位置における断面図である。
【図４Ｂ】第３の実施形態のキッチンキャビネットの取付け部の移行位置位置における断面図である。
【図４Ｃ】第３の実施形態のキッチンキャビネットの取付け部の縮み位置における断面図である。
【図５】本発明の第４の実施形態であるキッチンキャビネットの側面断面図である。
【図６】第４の実施形態のキッチンキャビネットの下腿支持部の平面図である。
【符号の説明】
【００６８】
１、４０、６０、９０  キッチンキャビネット
２  キャビネット
４  シンク
１８、４４  凹部
２０  下腿支持部
２２  下腿支持面
２６  回動軸
２４、４８、６２  取付け部
２８  受け部
４６  取付け軸
６６  ゴムピストン
６８  シリンダチューブ
７０  円筒形のガス室
９２  ばね
Ｈ１  膝頭部
Ｈ２  下腿部
Ｈ３  足部
【図１】
2008055091.tif 000003
【図２】
2008055091.tif 000004
【図３】
2008055091.tif 000005
【図４Ａ】
2008055091.tif 000006
【図４Ｂ】
2008055091.tif 000007
【図４Ｃ】
2008055091.tif 000008
【図５】
2008055091.tif 000009
【図６】
2008055091.tif 000010